(57)【特許請求の範囲】
【請求項１】
開口部を有するワン状に形成された音響ワン部と、音響ワン部の内部に配置されて該音響ワン部に衝突して警告音を発生させる打撃部とを備えた熊避けベルであって、
上記打撃部と音響ワン部との衝突を許容して警告音を発生させる警告音発生状態と、衝突を阻止して警告音が発生しないようにした警告音停止状態とに切り換え可能な熊避けベルにおいて、
上記音響ワン部の底部中央に取り付けられた筒状の筒状部材と、該筒状部材の内部を進退動可能に設けられるとともに上記打撃部を揺動可能に保持する保持部材と、該保持部材を上記筒状部材の下方の警告音発生状態となる前進位置と上方の警告音停止状態となる後退位置とのそれぞれに保持する切換手段とを備え、
上記保持部材の前進位置では上記打撃部は上記筒状部材より離隔して音響ワン部の内面に衝突可能となり、上記後退位置では上記打撃部は上記筒状部材に接触して音響ワン部の内面に衝突するのが阻止されることを特徴とする熊避けベル。
【請求項２】
上記切換手段は、上記筒状部材の内部を進退動するとともに上記保持部材の上方に設けられた回転カムと、該回転カムの外面に上下方向に向けて形成された突起と、該突起の下端部に形成されたカム斜面と、上記回転カムを下方に付勢するばねと、上記筒状部材の内面に形成されて上記回転カムおよび保持部材が通過可能に設けられた小径部と、該小径部の内面に上下方向に向けて形成されるとともに上記回転カムの突起が係合する複数の溝と、該小径部の上端部分に形成されるとともに一方の溝から他方の溝へと傾斜して上記回転カムのカム斜面が当接するカム斜面とを備え、
さらに上記保持部材は、一端が該保持部材に連結されるとともに他端が上記回転カムおよび筒状部材を貫通して音響ワン部の上方に突出したワイヤーによってぶら下げられ、
上記ばねによって下方に付勢された回転カムのカム斜面と筒状部材のカム斜面とが摺動して回転カムが回転し、
上記回転カムの突起が上記筒状部材の溝に係合すると、回転カムが上記ばねの付勢力によって前進して上記保持部材を下方に押圧し、保持部材が上記前進位置に保持されて警告音発生状態となり、
上記回転カムの突起が上記筒状部材の溝に係合せずに上記カム斜面に係合した状態では、回転カムの前進が阻止されるとともに、上記ワイヤーにぶら下げられた保持部材が下方より回転カムに当接して上記後退位置に保持され、警告音停止状態となることを特徴とする請求項１に記載の熊避けベル。
【請求項３】
音響ワン部の上部から該音響ワン部の直径方向に広がる傘状部を設け、該傘状部の直径を上記音響ワン部の直径よりも大径としたことを特徴とする請求項１または請求項２のいずれかに記載の熊避けベル。
【発明の詳細な説明】
【技術分野】
【０００１】
本発明は熊避けベルに関し、詳しくは打撃部と音響ワン部とが衝突して警告音を発生させる警告音発生状態と、衝突を阻止して警告音が発生しないようにした警告音停止状態とに切り換え可能な熊避けベルに関する。
【背景技術】
【０００２】
従来、ハイキングや山野草採取を行う際、熊との遭遇を避けるための警告音を発生させる熊避けベルが知られており、このような熊避けベルは、音響ワン部状に形成された音響ワン部と、該音響ワン部の内部で揺動して音響ワン部との衝突により警告音を発生させる打撃部とを備えている。
このような熊避けベルは、例えば電車や市街地などにおいて警告音が発生すると他者への迷惑となることから、上記打撃部と音響ワン部とが衝突して警告音を発生させる警告音発生状態と、衝突を阻止して警告音が発生しないようにした警告音停止状態とに切り換え可能とした熊避けベルも知られている（特許文献１）。
この特許文献１の熊避けベルは、上記音響ワン部と上記打撃部とを螺合させる構成を有しており、警告音発生状態ではこれらを螺合させることにより打撃部の揺動を許容して警告音を発生させるようになっている。
一方、警告音停止状態では音響ワン部より打撃部を離脱させて該打撃部を音響ワン部の底部に常に接触させ、これにより警告音の発生を阻止するようになっている。
【先行技術文献】
【特許文献】
【０００３】
【特許文献１】特開２００５−３２８８１５号公報
【発明の概要】
【発明が解決しようとする課題】
【０００４】
しかしながら、上記特許文献１の熊避けベルの場合、警告音発生状態および警告音停止状態とする際には、音響ワン部と打撃部とを相互に回転させる必要があり、例えばリュックサックに熊避けベルを装着した際には、切り換えのたびにリュックサックを下ろして操作する必要があった。
このような問題に鑑み、本発明は警告音発生状態と警告音停止状態とを容易に切換可能な熊避けベルを提供するものである。
【課題を解決するための手段】
【０００５】
すなわち、本発明における熊避けベルは、開口部を有するワン状に形成された音響ワン部と、音響ワン部の内部に配置されて該音響ワン部に衝突して警告音を発生させる打撃部とを備えた熊避けベルであって、
上記打撃部と音響ワン部との衝突を許容して警告音を発生させる警告音発生状態と、衝突を阻止して警告音が発生しないようにした警告音停止状態とに切り換え可能な熊避けベルにおいて、
上記音響ワン部の底部中央に取り付けられた筒状の筒状部材と、該筒状部材の内部を進退動可能に設けられるとともに上記打撃部を揺動可能に保持する保持部材と、該保持部材を上記筒状部材の下方の警告音発生状態となる前進位置と上方の警告音停止状態となる後退位置とのそれぞれに保持する切換手段とを備え、
上記保持部材の前進位置では上記打撃部は上記筒状部材より離隔して音響ワン部の内面に衝突可能となり、上記後退位置では上記打撃部は上記筒状部材に接触して音響ワン部の内面に衝突するのが阻止されることを特徴としている。
【発明の効果】
【０００６】
上記発明によれば、上記筒状部材の内部に上記保持部材を設けるとともに、該保持部材を上記切換手段によって前進位置または後退位置とに移動させるだけで、警告音停止状態または警告音発生状態とすることが可能であることから、切り換えを容易に行うことが可能となっている。
【図面の簡単な説明】
【０００７】
【図１】熊避けベルの断面図
【図２】熊避けベルの動作を説明する図
【図３】筒状部材を説明する平面図
【図４】保持部材を説明する平面図
【図５】回転カムを説明する底面図
【発明を実施するための形態】
【０００８】
以下、図示実施例について説明すると、図１は、ハイキング等の際に警告音を発生させることによって熊の接近を防止する熊避けベル１の断面図を示している。
熊避けベル１は、開口部を有するワン状に形成された音響ワン部２と、音響ワン部２の内部に配置されて該音響ワン部２に衝突して警告音を発生させる打撃部３と、上記音響ワン部２の底部に取り付けられた筒状の筒状部材４と、該筒状部材４の内部に設けられるとともに上記打撃部３を揺動可能に保持する保持部材５と、該保持部材５の上方に隣接した位置に設けられた回転カム６と、該回転カム６を下方に付勢するばね７と、音響ワン部２の上方に設けられるとともにワイヤー８を介して上記保持部材５に連結されるカラビナ９とから構成されている。
このような構成を有する本実施例の熊避けベル１は、上記カラビナ９をリュックサックやズボンのベルトループに装着することで、上記ワイヤー８により上記音響ワン部２や打撃部３を下方にぶら下げた状態で使用するようになっている。
また本実施例の熊避けベル１は、図２（ａ）に示す警告音が発生する警告音発生状態と、図２（ｃ）に示す警告音が発生しない警告音停止状態とに切り換えることが可能な切換手段１０を備えている。
図２（ａ）の警告音発生状態において、上記切換手段１０は上記保持部材５を下方の前進位置に位置させるようになっており、これにより上記打撃部３を筒状部材４より離隔させて打撃部３の揺動を許容するようになっている。
一方、図２（ｃ）の警告音停止状態において、上記切換手段１０は上記保持部材５を上方の後退位置に位置させるようになっており、これにより上記打撃部３を筒状部材４に接触させて打撃部３の揺動を阻止するようになっている。
【０００９】
上記音響ワン部２は有底筒状に形成された金属製の部材となっており、上方に位置する底部の中央には上記筒状部材４を装着するための貫通孔２ａが形成されている。
上記打撃部３は略半球状に形成された金属製の部材となっており、その中央には筒状の被収容部３ａが立設され、該被収容部３ａに設けられた貫通孔には上方に向けて突出するワイヤー１１が固定されている。
上記ワイヤー１１は上記被収容部３ａより上方に突出すると、上方でリング状に折り返されており、このリング状の部分が上記保持部材５の下方に設けられたピンに揺動可能に連結されるようになっている。
【００１０】
上記筒状部材４は音響ワン部２の底部を上下に貫通するように設けられるとともに、外部に突出した部分には有底筒状で中央に貫通孔１２ａの形成されたケース１２が装着されており、該筒状部材４とケース１２とによって音響ワン部２を挟持するようになっている。
具体的には、筒状部材４における外部に突出した部分の外周面には係合溝４ａが形成されており、上記ケース１２をこの外部に突出した部分に装着した後、この係合溝４ａの位置にあわせて上記ケース１２を外側から変形させ、形成した変形部１２ｂと係合溝４ａとが係合することでケース１２と筒状部材４とが固定されるようになっている。
また上記ケース１２における上記音響ワン部２側の端部には、該音響ワン部２の直径方向に広がる傘状部１２ｃが設けられており、この傘状部１２ｃの直径は上記音響ワン部２の直径よりも大径となっている。
上記傘状部１２ｃを設けることにより、熊避けベル１を上記カラビナ９によってぶら下げると、上記傘状部１２ｃは上記音響ワン部２よりも大径となっていることから、該傘状部１２ｃは音響ワン部２よりも先に上記リュックサックや使用者に接触するようになっている。
これにより、音響ワン部２がリュックサックや使用者に接触することが防止され、音響ワン部２に打撃部３が衝突した際に発生される警告音が損なわれないようになっている。
【００１１】
図３は上記筒状部材４の断面図および上方から見た平面図を示し、筒状部材４の内面には、その下方から順に、保持部材５が摺動する大径部２１と、下記切換手段１０を構成する小径部２２と、上記回転カム６が摺動する中径部２３とが形成されている。
上記大径部２１には、図２（ｂ）（ｃ）に示すように上記打撃部３に形成した被収容部３ａが収容されるようになっており、該被収容部３ａを収容することにより打撃部３の揺動を阻止するようになっている。
上記小径部２２の内面には合計で６本の溝が等間隔に形成されており、このうち一つおきに形成された３本の溝は上記中径部２３と同じ深さまで形成された深溝２４となっており、その他の３本の溝は該深溝２４より浅い浅溝２５となっている。
さらに、上記小径部２２の上方の端面には、隣接する深溝２４と深溝２４との間に同じ方向に傾斜する３組のカム斜面２６が形成されており、このカム斜面２６は、一方の深溝２４に隣接した位置から浅溝２５の上面にかけて形成された阻止部分２６ａと、浅溝２５に隣接した位置から他方の深溝２４に隣接した位置にかけて形成された許容部分２６ｂとに分かれており、この阻止部分２６ａと許容部分２６ｂとの境界には上下方向の段差２６ｃが形成されるようになっている。
【００１２】
上記保持部材５は、上記筒状部材４の内部を上下に進退動可能に設けられた筒状の部材であって、下方には上記打撃部３を揺動可能に保持する保持部５ａが形成され、該保持部５ａの上方には上記切換手段１０を構成するカム部５ｂが形成されている。
上記保持部５ａの下方には水平方向にピン５ｃが貫通しており、上記打撃部３に設けたワイヤー１１が揺動可能に保持されている。
上記ワイヤー８は、上記筒状部材４、回転カム６、ケース１２を貫通して上方に突出するとともに上方でリング状に折り返されており、このリング状の部分が上記カラビナ９に連結されるようになっている。
そして、このワイヤー１１の下端部には保持部材５の内部に形成された段差に下方から係合するカシメ部材１３が設けられており、これによりカラビナ９はこの保持部材５を介して熊避けベル１全体をぶら下げるようになっている。
図４は上記保持部材５の側面図および上方から見た平面図を示しており、上記保持部材５のカム部５ｂの側面には、上記筒状部材４の小径部２２の内面に形成した深溝２４および浅溝２５に嵌合する６つの突起２７が上下方向に向けて形成されている。
このように上記突起２７が筒状部材４の深溝２４および浅溝２５に嵌合することで、保持部材５は筒状部材４に対して回転しないように保持され、上下方向のみの移動が許容されるようになっている。
さらに、カム部５ｂの上方の端面にはギザギザ状の環状の歯部２８が形成され、図２（ｂ）に示すように、保持部材５が筒状部材４に対して上方に移動すると、該歯部２８が上記筒状部材４のカム斜面２６よりも上方に突出するようになっている。
【００１３】
上記回転カム６は、その中央を上記保持部材５に連結されたワイヤー８が貫通可能な筒状に形成された部材となっており、上記ワイヤー８に対して上下に移動可能となっている。
図５は上記回転カム６の側面図および平面図を示し、回転カム６の上方には上記筒状部材４の中径部２３と同径に形成されたフランジ６ａが形成され、該上記フランジ６ａ部の下方にはフランジ６ａと同じ位置まで突出した３つの突起２９と、上記保持部材５の貫通孔１２ａに挿入可能な小径部６ｂと、該小径部６ｂを囲繞するように形成されるとともに上記保持部材５の歯部２８と嵌合するギザギザ状の歯部３０とを備えている。
そして上記回転カム６のフランジ６ａ部と上記ケース１２の底部との間に上記ばね７が弾装されており、このばね７の付勢力によって回転カム６は常時下方に向けて付勢されるようになっている。
上記突起２９は、上記筒状部材４の小径部２２に形成された３つの深溝２４に係合するように設けられており、また該突起２９の下端部には上記小径部２２に形成されたカム斜面２６に当接するカム斜面３１が形成されている。
そして上記歯部３０は、図２（ｂ）に示すように上記保持部材５の上端に形成された歯部２８と嵌合するように形成されているが、図４、図５に示すように、保持部材５の歯部２８と上記回転カム６の歯部３０とは、中心に対して若干角度がずれた位置に形成されている。
具体的に説明すると、上記保持部材５における突起２７と歯部２８との位置関係に対し、上記回転カム６における突起２９と歯部３０との位置関係は、一つの歯部３０の約半分の角度だけずれている。
このため、図２（ａ）（ｃ）に示すように、保持部材５の突起２７と回転カム６の突起２９とが上下に整列した際に、両歯部２８、３０が相互に密着できないようになっている。
【００１４】
本実施例における上記切換手段１０は、いわゆるノック式の回転カム機構となっており、上記筒状部材４の内部に設けた深溝２４、浅溝２５、カム斜面２６と、上記保持部材５のカム部５ｂに設けた突起２７および歯部２８と、上記回転カム６の突起２９、歯部３０、カム斜面３１と、該回転カム６を付勢するばね７とによって構成されている。
以下、この切換手段１０の動作とともに、熊避けベル１の使用方法について説明する。
まず、熊避けベル１を上記カラビナ９によってリュックサックやズボンのベルトループなどに装着すると、自重により上記音響ワン部２や打撃部３がカラビナ９の下方にぶら下がるようになっている。
つまり、上記カラビナ９には上記ワイヤー８を介して保持部材５が連結されているため、保持部材５はワイヤー８によってカラビナ９にぶら下がっている状態となっている。
一方、この保持部材５は上記回転カム６に下方から当接して、該回転カム６を下方から支持しており、さらにこの回転カム６はばね７に下方から当接して、該ばね７はその付勢力によって上記ケース１２ごと音響ワン部２および筒状部材４を下方から支持している。
【００１５】
次に、図２（ａ）に示す警告音発生状態について説明すると、この警告音発生状態において、上記回転カム６の突起２９は上記筒状部材４の深溝２４に係合するようになっている。
その結果、上記ばね７の付勢力によって回転カム６は下方に付勢されて保持部材５を下方に押圧するようになっており、また回転カム６のフランジ６ａ部が筒状部材４に形成された中径部２３と小径部２２との段差に当接することで、これ以上の下降が阻止されるようになっている。
この回転カム６によって下方に押圧された保持部材５は、筒状部材４に対して相対的に下方に位置しており、その結果図２（ａ）に示す前進位置に位置することとなる。
保持部材５が前進位置に位置すると、上記保持部材５の下方に連結された打撃部３の被収容部３ａが上記筒状部材４の大径部２１より下方に離脱するため、打撃部３は上記ワイヤー１１によって揺動が許容され、打撃部３が音響ワン部２に衝突することで警告音が発生されることとなる。
一方、この警告音発生状態において、上記回転カム６の突起２９は筒状部材４の深溝２４に係合し、また保持部材５の突起２７は常時深溝２４および浅溝２５に係合していることから、上記保持部材５の歯部２８と回転カム６の歯部３９とは密着せず、両歯部２８、３０の一部分同士だけが接触した状態となっている。
【００１６】
そして、この図２（ａ）に示す警告音発生状態から図２（ｃ）に示す警告音停止状態とする場合、使用者は音響ワン部２を下方に向けて移動させて図２（ｂ）の状態とする。
音響ワン部２を下方に向けて移動させると、上記ケース１２が下方に移動して上記上記ばね７を下方に押圧し、その結果、上記ワイヤー８にぶら下げられた保持部材５の上方に接触している回転カム６との間で、ばね７が圧縮されることとなる。
換言すると、保持部材５はばね７の付勢力に抗して筒状部材４の内部を相対的に上方に移動し、最終的には図２（ｂ）に示すように保持部材５の上端部が上記筒状部材４のカム斜面２６の上端部より上方に突出するようになっている。
すると、それまで上記筒状部材４の深溝２４に突起２９が係合して回転が阻止されていた回転カム６は、該突起２９が深溝２４の上方に離脱することとなり、回転が許容されることとなる。
回転カム６は上記ばね７によって下方への付勢力が作用し、かつ回転カム６の歯部３０は、それまで密着していなかった上記保持部材５の歯部２８に沿って嵌合するように摺動するため、回転カム６は回転しながら下降することとなる。
図２（ｂ）は両歯部２８、３０が密着した状態を示しており、これにより回転カム６の突起２９は上記深溝２４に対して偏倚することとなり、カム斜面２６の阻止部分２６ａの上方に位置するようになっている。
【００１７】
この図２（ｂ）の状態まで音響ワン部２が引き下げられ、その後使用者が音響ワン部２を手放すと、熊避けベル１は図２（ｃ）に示す警告音停止状態となる。
図２（ｂ）の状態から音響ワン部２を手放すと、ばね７の付勢力によって音響ワン部２が上方に付勢され、これにより上記回転カム６と保持部材５とは一体的に筒状部材４に対して相対的に下降することとなる。
このとき上記回転カム６の突起２９は、筒状部材４のカム斜面２６における阻止部分２６ａの上方に位置しているため、回転カム６が下降することにより、突起２９の下端に形成されたカム斜面３１が筒状部材４の上記阻止部分２６ａに当接することとなる。
その後、上記回転カム６にはばね７の付勢力が作用することから、上記突起２９のカム斜面３１は上記阻止部分２６ａに沿って摺動し、回転カム６は回転しながら下降する。
そして、突起２９がカム斜面２６における阻止部分２６ａと許容部分２６ｂとの境界に位置する段差２６ｃに当接すると、これ以上の回転カム６の回転が阻止されるとともに、上記突起２９は浅溝２５に係合しないようになっていることから、回転カム６はこれ以上下降しないようになっている。
このようにして回転カム６の下降が阻止された状態において、上記保持部材５は上記ワイヤー８によってぶら下げられていることから、上記回転カム６を下方から支持するようになっており、保持部材５は筒状部材４に対して上方に位置する後退位置で保持されるようになっている。
保持部材５を筒状部材４に対して後退位置で保持すると、上記保持部材５の下方に連結された打撃部３が筒状部材４に接近して、上記被収容部３ａが保持部材５の大径部２１に収容されることとなる。
これにより打撃部３は揺動が阻止され、該打撃部３が音響ワン部２に衝突することは無いので、警告音の発生が阻止されるようになっている。
一方、この警告音停止状態において、上記回転カム６の突起２９は筒状部材４の浅溝２５の上方で停止しており、また保持部材５の突起２７は常時深溝２４および浅溝２５に係合していることから、上記保持部材５の歯部２８と回転カム６の歯部３０とは密着しないようになっている。
【００１８】
そして図２（ｃ）の警告音停止状態から、再び図２（ａ）の警告音発生状態とするには、再度音響ワン部２を下方に引き下げればよい。
すると、図２（ｂ）とは異なるが、上記保持部材５の先端が再び小径部２２のカム斜面２６より上方に突出して回転カム６が回転し、回転カム６の歯部３０と保持部材５の歯部２８とが密着する。
その結果、回転カム６の突起２９は上記浅溝２５に対して偏倚し、カム斜面２６の許容部分２６ｂの上方に位置する。
その後使用者が音響ワン部２を手放すと、ばね７の付勢力により回転カム６が下降してカム斜面３１が上記カム斜面２６の許容部分２６ｂに当接するため、突起２９は回転カム６の回転に伴って深溝２４の位置まで移動する。
一方、回転カム６はばね７によって下方に付勢されていることから、上記突起２９が深溝２４の位置まで到達すると、ばね７の付勢力によって回転カム６は図２（ａ）に示す位置まで下降され、該回転カム６に押圧された保持部材５は筒状部材４に対して上記前進位置まで下降することとなる。
これにより、上記保持部材５の収容部から打撃部３の被収容部３ａが離脱し、打撃部３は揺動可能となるため、上記音響ワン部２に衝突して警告音を発生させることが可能となる。
【００１９】
上記実施例における熊避けベル１によれば、上記警告音発生状態または警告音停止状態とする際に、使用者はこの熊避けベル１の音響ワン部２を下方に移動させればよいため、この切り換え操作を片手で操作することができ、また使用者は熊避けベル１がリュックサックに装着されるなど視認できない状態であっても、これを操作することができる。
これにより、例えば電車や市街地など、警告音が他の通行人等に対して迷惑となる場合や、熊が発生しそうな地域に侵入した場合において、使用者はいちいちリュックサックを下ろす必要がなく、手探りで警告音発生状態または警告音停止状態に切り換えることができる。
【００２０】
なお、上記実施例における上記切換手段１０は、上記回転カム６を用いた回転カム機構となっているが、その他、上記保持部材６または筒状部材４のいずれか一方に係合突起を設け、他方に該係合突起が係合する被係合部を形成し、さらにこの係合突起と被係合部との係合状態を解除する解除手段を備えた機構であっても良い。
例えば、上記保持部材６を筒状部材４に対して後退位置に位置させた際に係合突起と被係合部とが係合するようにし、その状態で上記解除手段がこれらの係合状態を解除すると、上記ばね７の付勢力によって保持部材６が筒状部材４に対して下降した前進位置に位置させることができる。
その他の切換手段１０として、筒状部材の内面と保持部材の外面にそれぞれらせん状のカム斜面を設け、上記保持部材をこのカム斜面に沿って所定角度回転させることにより、保持部材が筒状部材に対して上下に移動するようにした構成も考えられる。
【符号の説明】
【００２１】
１  熊避けベル                    ２  音響ワン部
３  打撃部                        ４  筒状部材
５  保持部材                      ６  回転カム
７  ばね                          １０  切換手段
【図１】
0005569691.tif 000002
【図２】
0005569691.tif 000003
【図３】
0005569691.tif 000004
【図４】
0005569691.tif 000005
【図５】
0005569691.tif 000006